(57)【要約】【課題】既存のシステムを大幅に変えることなく、二重に補正処理が実行されることによる画質の悪化を防止し、ユーザに不快感を与えることを防止する。【解決手段】映像信号出力装置と映像表示装置とを備える映像信号処理システムであって、映像信号出力装置は、映像信号に階調補正処理を実行する階調補正処理部１０８と、外部の映像表示装置において実行される階調補正処理の有効又は無効を示す補正情報を映像表示装置から取得するＨＤＭＩトランスミッタ処理部１１２と、補正情報が有効である場合、出力装置の階調補正処理を無効にし、補正情報が無効である場合、出力装置の階調補正処理を有効にする映像補正切換部５０１とを備え、映像表示装置は、映像信号に階調補正処理を実行する階調補正処理部３０９と、補正情報を記憶する記憶装置４０８と、補正情報を外部の映像信号出力装置に出力するＨＤＭＩレシーバ処理部３０５とを備える。【選択図】図６
2009135613.tif 000002
【特許請求の範囲】
【請求項１】
受信した映像信号、又は、記録媒体に記録されているコンテンツから再生される映像信号を補正して出力する映像信号出力装置であって、
前記映像信号に対して第１補正処理を実行する第１補正手段と、
映像を表示する外部の映像表示装置において実行される第２補正処理の有効又は無効を示す映像補正情報を前記映像表示装置から取得する補正情報取得手段と、
前記映像補正情報が有効である場合、前記第１補正処理を無効にし、前記映像補正情報が無効である場合、前記第１補正処理を有効にする第１補正切換手段とを備える
ことを特徴とする映像信号出力装置。
【請求項２】
前記映像補正情報は、
異なる複数の第２補正処理の種類と、前記複数の第２補正処理のそれぞれについて有効又は無効を示す複数の有無情報とを含み、
前記第１補正手段は、前記映像信号に対して異なる複数の第１補正処理を実行し、
前記第１補正切換手段は、
前記複数の第１補正処理のいずれか１つが、前記有無情報が有効である前記複数の第２補正処理のいずれか１つと同じ種類であるという第１条件を満たす第１補正処理を無効にする
ことを特徴とする請求項１記載の映像信号出力装置。
【請求項３】
前記映像補正情報は、さらに、
前記複数の第２補正処理のそれぞれについてのバージョンと、前記映像表示装置の製造者の情報とを含み、
前記第１補正切換手段は、
前記映像信号出力装置の製造者と前記映像表示装置の製造者とが同じである場合、前記第１条件を満たす第１補正処理のバージョンが、前記第１条件を満たす第２補正処理のバージョンより新しいという第２条件を満たす第１補正処理を有効にし、
前記映像信号出力装置は、さらに、
前記第２条件を満たす第２補正処理を無効に設定するための指令情報を前記映像表示装置に出力する指令情報出力手段を備える
ことを特徴とする請求項２記載の映像信号出力装置。
【請求項４】
前記補正情報取得手段は、ＨＤＭＩ規格のＤＤＣ規格に準拠する
ことを特徴とする請求項１〜３のいずれか１項に記載の映像信号出力装置。
【請求項５】
前記指令情報出力手段は、ＨＤＭＩ規格のＣＥＣ規格に準拠する
ことを特徴とする請求項３記載の映像信号出力装置。
【請求項６】
入力された映像信号の映像を表示する映像表示装置であって、
前記映像信号に対して第２補正処理を実行する第２補正手段と、
前記第２補正処理の有効又は無効を示す映像補正情報を記憶する記憶手段と、
前記映像補正情報を外部の映像信号出力装置に出力する補正情報出力手段とを備える
ことを特徴とする映像表示装置。
【請求項７】
前記映像表示装置は、さらに、
前記映像補正情報をユーザが設定し、前記記憶手段に記憶させる設定手段と、
前記映像補正情報が有効である場合、前記第２補正処理を有効にし、前記映像補正情報が無効である場合、前記第２補正処理を無効にする第２補正切換手段とを備える
ことを特徴とする請求項６記載の映像表示装置。
【請求項８】
前記第２補正手段は、前記映像信号に対して異なる複数の第２補正処理を実行し、
前記記憶手段は、
前記複数の第２補正処理の種類と、前記複数の第２補正処理のそれぞれについて有効又は無効を示す複数の有無情報とを含む前記映像補正情報を記憶し、
前記第２補正切換手段は、
前記複数の第２補正処理のそれぞれに対して、対応する前記有無情報が有効である場合、該有無情報に対応する第２補正処理を有効にし、前記有無情報が無効である場合、該有無情報に対応する第２補正処理を無効にする
ことを特徴とする請求項７記載の映像表示装置。
【請求項９】
前記設定手段は、
前記複数の第２補正処理のそれぞれについて有効又は無効をユーザが選択的に設定することで得られる前記映像補正情報を、前記記憶手段に記憶させる
ことを特徴とする請求項８記載の映像表示装置。
【請求項１０】
前記記憶手段は、
前記複数の第２補正処理のそれぞれについてのバージョンと、前記映像表示装置の製造者の情報とをさらに含む前記映像補正情報を記憶し、
前記映像表示装置は、さらに、
前記映像補正情報に基づいて前記複数の第２補正処理のそれぞれについての有効又は無効を前記映像信号出力装置が切り換える指令情報を前記映像信号出力装置から取得する指令情報取得手段を備え、
前記第２補正切換手段は、さらに、
前記指令情報に基づいて、前記複数の第２補正処理のそれぞれについて有効又は無効を選択的に切り換える
ことを特徴とする請求項９記載の映像表示装置。
【請求項１１】
前記指令情報取得手段は、ＨＤＭＩ規格のＣＥＣ規格に準拠する
ことを特徴とする請求項１０記載の映像表示装置。
【請求項１２】
前記記憶手段は、ＨＤＭＩ規格のＥ−ＥＤＩＤ規格に準拠する
ことを特徴とする請求項６〜１１のいずれか１項に記載の映像表示装置。
【請求項１３】
請求項１〜５のいずれか１項に記載の映像信号出力装置と、請求項６〜１２のいずれか１項に記載の映像表示装置とからなる映像信号処理システム。
【発明の詳細な説明】
【技術分野】
【０００１】
本発明は、例えば、デジタルテレビなどに適用される映像表示装置、ＤＶＤ（Ｄｉｇｉｔａｌ  Ｖｅｒｓａｔｉｌｅ  Ｄｉｓｃ）レコーダなどに適用される映像信号出力装置、及びそれら映像表示装置と映像信号出力装置とを接続して構成される映像信号処理システムに関する。
【背景技術】
【０００２】
昨今、薄型テレビの普及がめまぐるしいが、このような状況の中、テレビメーカーは他社との差別化を図る１つの訴求ポイントとして、画質を謳っている。また、テレビに接続するＤＶＤレコーダなども高機能化し、画質を謳う製品が多くなってきており、画質の良い映像を楽しめる時代になってきている。
【０００３】
従来のテレビ及びＤＶＤレコーダは、映像信号に対して様々な補正を施すことで画質を向上させている。ここでは、まず、補正機能を備えた従来のＤＶＤレコーダ及びテレビについて図を用いて説明する。
【０００４】
図２６は、従来の映像信号出力装置の一例であるＤＶＤレコーダのブロック図である。同図のＤＶＤレコーダ１０は、システムＬＳＩ（Ｌａｒｇｅ  Ｓｃａｌｅ  Ｉｎｔｅｇｒａｔｉｏｎ）１００と、地上アナログチューナー２０１と、地上デジタルチューナー２０２と、ＢＳ（Ｂｒｏａｄｃａｓｔｉｎｇ  Ｓａｔｅｌｌｉｔｅ）デジタルチューナー２０３と、ＣＳ（Ｃｏｍｍｕｎｉｃａｔｉｏｎｓ  Ｓａｔｅｌｌｉｔｅ）デジタルチューナー２０４と、光ディスクドライブ２０５と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタ２０６とを備える。
【０００５】
システムＬＳＩ１００は、フロントパネルキー解読部１０１と、リモコンコード解読部１０２と、イベント管理部１０３と、システム制御部１０４と、光ディスク記録再生処理部１０５と、音声処理部１０６と、映像復調処理部１０７と、階調補正処理部１０８と、輪郭補正処理部１０９と、オンスクリーン表示処理部１１０と、映像合成処理部１１１と、ＨＤＭＩトランスミッタ処理部１１２とを備える。
【０００６】
フロントパネルキー解読部１０１は、ユーザによるＤＶＤレコーダ１０のフロントパネルからのキー操作を解読する。リモコンコード解読部１０２は、ユーザによるリモートコントローラーからの送信コードを解読する。イベント管理部１０３は、フロントパネルキー解読部１０１とリモコンコード解読部１０２とから入力されるイベントを判断する。システム制御部１０４は、ＤＶＤレコーダ１０のシステム制御を行う。光ディスク記録再生処理部１０５は、地上アナログチューナー２０１、地上デジタルチューナー２０２、ＢＳデジタルチューナー２０３若しくはＣＳデジタルチューナー２０４から入力される映像／音声を入力して記録若しくはそのまま出力する、又は、光ディスクドライブ２０５のディスクを再生して映像／音声を出力する。音声処理部１０６は、光ディスク記録再生処理部１０５から入力される音声を復調する。映像復調処理部１０７は、光ディスク記録再生処理部１０５から入力される映像を復調する。階調補正処理部１０８は、映像復調処理部１０７から入力される映像の階調を補正する。輪郭補正処理部１０９は、階調補正処理部１０８から入力される映像の輪郭を補正する。オンスクリーン表示処理部１１０は、システム制御部１０４から入力される指示でオンスクリーン表示を行う。映像合成処理部１１１は、オンスクリーン表示処理部１１０から入力されるＯＳＤ（Ｏｎ  Ｓｃｒｅｅｎ  Ｄｉｓｐｌａｙ）と輪郭補正処理部１０９から入力される映像との合成を行う。ＨＤＭＩトランスミッタ処理部１１２は、映像合成処理部１１１から入力される映像と音声処理部１０６から入力される音声とをＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）に変換して出力する。
【０００７】
ＨＤＭＩコネクタ２０６は、ＨＤＭＩトランスミッタ処理部１１２から入力されるＴＭＤＳ信号を外部に出力するＩ／Ｆ（ＩｎｔｅｒＦａｃｅ）である。
【０００８】
以上のような構成で従来のＤＶＤレコーダ１０は構成されている。
【０００９】
図２７は、従来の映像表示装置の一例であるテレビのブロック図である。同図のテレビ２０は、システムＬＳＩ３００と、地上アナログチューナー４０１と、地上デジタルチューナー４０２と、ＢＳデジタルチューナー４０３と、ＣＳデジタルチューナー４０４と、ＨＤＭＩコネクタ４０５と、ディスプレイパネル４０６と、スピーカー４０７と、記憶装置４０８とを備える。
【００１０】
システムＬＳＩ３００は、フロントパネルキー解読部３０１と、リモコンコード解読部３０２と、イベント管理部３０３と、システム制御部３０４と、ＨＤＭＩレシーバ処理部３０５と、映像／音声入力切換部３０６と、音声処理部３０７と、映像復調処理部３０８と、階調補正処理部３０９と、輪郭補正処理部３１０と、オンスクリーン表示処理部３１１と、映像合成処理部３１２とを備える。
【００１１】
フロントパネルキー解読部３０１は、ユーザによるテレビ２０のフロントパネルからのキー操作を解読する。リモコンコード解読部３０２は、ユーザによるリモートコントローラーからの送信コードを解読する。イベント管理部３０３は、フロントパネルキー解読部３０１とリモコンコード解読部３０２とから出力されるイベントを判断する。システム制御部３０４は、テレビ２０のシステム制御を行う。ＨＤＭＩレシーバ処理部３０５は、ＨＤＭＩコネクタ４０５から入力されるＴＭＤＳ信号を映像／音声に変換する。映像／音声入力切換部３０６は、地上アナログチューナー４０１、地上デジタルチューナー４０２、ＢＳデジタルチューナー４０３、ＣＳデジタルチューナー４０４又はＨＤＭＩレシーバ処理部３０５から入力される映像／音声を切り換える。音声処理部３０７は、映像／音声入力切換部３０６から入力される音声を復調する。映像復調処理部３０８は、映像／音声入力切換部３０６から入力される映像を復調する。階調補正処理部３０９は、映像復調処理部３０８から入力される映像の階調を補正する。輪郭補正処理部３１０は、階調補正処理部３０９から入力される映像の輪郭を補正する。オンスクリーン表示処理部３１１は、システム制御部３０４から入力される指示でオンスクリーン表示を行う。映像合成処理部３１２は、オンスクリーン表示処理部３１１から入力されるＯＳＤと輪郭補正処理部３１０から入力される映像との合成を行う。
【００１２】
ＨＤＭＩコネクタ４０５は、外部装置からのＨＤＭＩのＴＭＤＳ信号を入力するＩ／Ｆである。ディスプレイパネル４０６は、映像合成処理部３１２から入力される映像を表示する。スピーカー４０７は、音声処理部３０７にて復調された音声を出力する。記憶装置４０８は、ＨＤＭＩコネクタ４０５のＤＤＣ（Ｄｉｓｐｌａｙ  Ｄａｔａ  Ｃｈａｎｎｅｌ）ラインを介して外部装置から読み出される、テレビ２０が再生可能な映像及び音声のフォーマットなどの情報をＥＤＩＤ（Ｅｘｔｅｎｄｅｄ  Ｄｉｓｐｌａｙ  Ｉｄｅｎｔｉｆｉｃａｔｉｏｎ  Ｄａｔａ）規格に準じて記録している。
【００１３】
以上のような構成で従来のテレビ２０は構成されている。
【００１４】
図２８は、図２７のテレビ２０の記憶装置４０８に記録するＨＤＭＩのＥＤＩＤ規格のフォーマットを示したものである。
【００１５】
図２９は、ＨＤＭＩケーブルを介してＤＶＤレコーダ１０とテレビ２０とを接続した映像信号処理システムの図である。
【００１６】
ＤＶＤレコーダ１０のＨＤＭＩトランスミッタ処理部１１２は、ＨＤＭＩのＤＤＣラインを介して、テレビの記憶装置４０８から対応する映像及び音声のフォーマットを取得する。光ディスク記録再生処理部１０５は、地上アナログチューナー２０１、地上デジタルチューナー２０２、ＢＳデジタルチューナー２０３、ＣＳデジタルチューナー２０４、又は光ディスクドライブ２０５のディスクから映像信号及び音声信号を取得し、出力する。映像信号は、映像復調処理部１０７、階調補正処理部１０８、輪郭補正処理部１０９及び映像合成処理部１１１にて処理され、ＨＤＭＩトランスミッタ処理部１１２に出力される。音声信号は、音声処理部１０６にて処理され、ＨＤＭＩトランスミッタ処理部１１２に出力される。ＨＤＭＩトランスミッタ処理部１１２は、各種処理が実行された後の映像信号及び音声信号を、テレビ２０が対応する映像及び音声のフォーマットに変換してＴＭＤＳ信号を出力する。
【００１７】
出力されたＴＭＤＳ信号は、ＨＤＭＩコネクタ２０６と、ＨＤＭＩケーブルと、ＨＤＭＩコネクタ４０５とを介してテレビ２０に入力される。
【００１８】
テレビ２０のＨＤＭＩレシーバ処理部３０５は、ＤＶＤレコーダ１０から出力されたＴＭＤＳ信号を処理して映像信号及び音声信号を映像／音声入力切換部３０６に出力する。映像信号は、映像復調処理部３０８、階調補正処理部３０９、輪郭補正処理部３１０及び映像合成処理部３１２にて処理され、ディスプレイパネル４０６に表示される。音声信号は、音声処理部３０７にて処理され、スピーカー４０７から出力される。
【００１９】
以上のように従来の映像信号処理システムは構成されており、ＤＶＤレコーダ１０及びテレビ２０の両方で階調補正処理と輪郭補正処理が存在し、二重に補正の処理が入っていた。その結果、かえって画質が悪くなり、ユーザに不快感を与える問題が発生していた。
【００２０】
この問題に際して、以下、特許文献１の画像信号処理装置により、ある程度の効果は得られると推察される。
【００２１】
特許文献１の画像信号処理装置は、ユーザが簡単な方法で視聴環境や外部画像表示装置の情報、経時変化やユーザの好みを画像処理の設定に盛り込むことができる。これらのユーザが盛り込んだ情報を記憶してカメラ撮影時での画質の補正を可能とすることにより、外部画像表示装置側での補正等を不要とするものである。
【特許文献１】特開２００７−８１６８５号公報
【発明の開示】
【発明が解決しようとする課題】
【００２２】
しかしながら、特許文献１に記載の画像信号処理装置は、カメラで撮影した画像と調整用の画像パターンとを比較して出力する画像を調整するため、動画を扱うには不適切である。また、カメラがないシステムでは使用できない。
【００２３】
そこで、この状況を鑑み、本発明では、カメラがないシステムでも適用可能となるように、既存のシステムを大幅に変えることなく、二重に補正処理が実行されることによる画質の悪化を防止し、ユーザに不快感を与えることを防止する、映像信号出力装置と映像表示装置とからなる映像信号処理システムを提供することを目的とする。さらに、本システムに適用でき、最適な画質で映像を出力する映像信号出力装置と、最適な画質で映像を表示する映像表示装置とを提供することを目的とする。
【課題を解決するための手段】
【００２４】
上記課題を解決するため、本発明の映像信号出力装置は、受信した映像信号、又は、記録媒体に記録されているコンテンツから再生される映像信号を補正して出力する映像信号出力装置であって、前記映像信号に対して第１補正処理を実行する第１補正手段と、映像を表示する外部の映像表示装置において実行される第２補正処理の有効又は無効を示す映像補正情報を前記映像表示装置から取得する補正情報取得手段と、前記映像補正情報が有効である場合、前記第１補正処理を無効にし、前記映像補正情報が無効である場合、前記第１補正処理を有効にする第１補正切換手段とを備える。
【００２５】
これにより、映像表示装置において補正処理が有効である場合に、映像信号出力装置において補正処理の実行を禁止することができ、映像信号に対して二重に補正処理を実行することにより生じる画質の悪化を防ぎ、ユーザに不快感を与えることを防ぐことができる。
【００２６】
また、前記映像補正情報は、異なる複数の第２補正処理の種類と、前記複数の第２補正処理のそれぞれについて有効又は無効を示す複数の有無情報とを含み、前記第１補正手段は、前記映像信号に対して異なる複数の第１補正処理を実行し、前記第１補正切換手段は、前記複数の第１補正処理のいずれか１つが、前記有無情報が有効である前記複数の第２補正処理のいずれか１つと同じ種類であるという第１条件を満たす第１補正処理を無効にしてもよい。
【００２７】
これにより、映像表示装置において実行される補正処理と、映像信号出力装置において実行される補正処理とを区別することができ、映像信号に対して同一の補正処理が二重に実行されることを防止し、画質の悪化を防ぐことができる。
【００２８】
また、前記映像補正情報は、さらに、前記複数の第２補正処理のそれぞれについてのバージョンと、前記映像表示装置の製造者の情報とを含み、前記第１補正切換手段は、前記映像信号出力装置の製造者と前記映像表示装置の製造者とが同じである場合、前記第１条件を満たす第１補正処理のバージョンが、前記第１条件を満たす第２補正処理のバージョンより新しいという第２条件を満たす第１補正処理を有効にし、前記映像信号出力装置は、さらに、前記第２条件を満たす第２補正処理を無効に設定するための指令情報を前記映像表示装置に出力する指令情報出力手段を備えてもよい。
【００２９】
これにより、映像信号に対してより新しいバージョンの補正処理を実行することができ、画質をより向上させることができる。
【００３０】
また、前記補正情報取得手段は、ＨＤＭＩ規格のＤＤＣ規格に準拠してもよい。又は、前記指令情報出力手段は、ＨＤＭＩ規格のＣＥＣ規格に準拠してもよい。
【００３１】
また、本発明の映像表示装置は、入力された映像信号の映像を表示する映像表示装置であって、前記映像信号に対して第２補正処理を実行する第２補正手段と、前記第２補正処理の有効又は無効を示す映像補正情報を記憶する記憶手段と、前記映像補正情報を外部の映像信号出力装置に出力する補正情報出力手段とを備える。
【００３２】
これにより、映像表示装置の有する補正処理に関する情報を、外部の映像信号出力装置などに出力することができる。
【００３３】
また、前記映像表示装置は、さらに、前記映像補正情報をユーザが設定し、前記記憶手段に記憶させる設定手段と、前記映像補正情報が有効である場合、前記第２補正処理を有効にし、前記映像補正情報が無効である場合、前記第２補正処理を無効にする第２補正切換手段とを備えてもよい。
【００３４】
これにより、映像表示装置の有する補正処理を有効にするか無効にするかをユーザが設定することができ、ユーザが望む画質の映像を表示することができる。
【００３５】
また、前記第２補正手段は、前記映像信号に対して異なる複数の第２補正処理を実行し、前記記憶手段は、前記複数の第２補正処理の種類と、前記複数の第２補正処理のそれぞれについて有効又は無効を示す複数の有無情報とを含む前記映像補正情報を記憶し、前記第２補正切換手段は、前記複数の第２補正処理のそれぞれに対して、対応する前記有無情報が有効である場合、該有無情報に対応する第２補正処理を有効にし、前記有無情報が無効である場合、該有無情報に対応する第２補正処理を無効にしてもよい。
【００３６】
これにより、複数の補正処理ごとに有効であるか無効であるかを示す情報を、外部の映像信号出力装置などに出力することができる。
【００３７】
また、前記設定手段は、前記複数の第２補正処理のそれぞれについて有効又は無効をユーザが選択的に設定することで得られる前記映像補正情報を、前記記憶手段に記憶させてもよい。
【００３８】
これにより、複数の補正処理ごとに有効にするか無効にするかをユーザが設定することができ、ユーザの好みに合わせた補正処理が実行された映像を表示することができる。
【００３９】
また、前記記憶手段は、前記複数の第２補正処理のそれぞれについてのバージョンと、前記映像表示装置の製造者の情報とをさらに含む前記映像補正情報を記憶し、前記映像表示装置は、さらに、前記映像補正情報に基づいて前記複数の第２補正処理のそれぞれについての有効又は無効を前記映像信号出力装置が切り換える指令情報を前記映像信号出力装置から取得する指令情報取得手段を備え、前記第２補正切換手段は、さらに、前記指令情報に基づいて、前記複数の第２補正処理のそれぞれについて有効又は無効を選択的に切り換えてもよい。
【００４０】
これにより、外部の映像信号出力装置側での補正処理の実行の状況に応じて、映像表示装置側での補正処理の有効又は無効を切り換えることができる。
【００４１】
また、前記指令情報取得手段は、ＨＤＭＩ規格のＣＥＣ規格に準拠してもよい。前記記憶手段は、ＨＤＭＩ規格のＥ−ＥＤＩＤ規格に準拠してもよい。
【００４２】
さらに、本発明の映像信号処理システムは、上記の映像信号出力装置と、上記の映像表示装置とからなる。
【００４３】
これにより、映像信号に対して二重に補正処理を実行することにより生じる画質の悪化を防ぎ、ユーザに不快感を与えることを防ぐことができる。
【発明の効果】
【００４４】
本発明によれば、カメラがないシステムでも適用可能となるように、既存のシステムを大幅に変えることなく、二重に補正処理が実行されることによる画質の悪化を防止し、ユーザに不快感を与えることを防止することができる。
【発明を実施するための最良の形態】
【００４５】
以下、本発明の実施の形態について、適宜、図面を参照しながら説明する。
【００４６】
（実施の形態１）
図１は、本実施の形態の映像信号出力装置の一例であるＤＶＤレコーダのブロック図である。同図のＤＶＤレコーダ３０は、図２６に示す従来のＤＶＤレコーダ１０に、新たに映像補正切換部５０１が追加された点が異なっている。以下では、図２６に示す従来のＤＶＤレコーダ１０と同じ構成については説明を省略し、異なる点を中心に説明する。
【００４７】
映像補正切換部５０１は、映像復調処理部１０７が出力する補正前の映像信号と、階調補正処理部１０８と輪郭補正処理部１０９とが出力する補正後の映像信号とのいずれかを、ＤＶＤレコーダ３０が取得した映像補正情報に従って、映像合成処理部１１１に出力する。
【００４８】
映像補正情報が、外部に接続される映像表示装置の補正処理が有効であることを示す場合、映像補正切換部５０１は、補正前の映像信号を映像合成処理部１１１に出力する。映像補正情報が、外部に接続される映像表示装置の補正処理が無効であることを示す場合、映像補正切換部５０１は、補正後の映像信号を映像合成処理部１１１に出力する。
【００４９】
図２は、本実施の形態のＨＤＭＩのＥＤＩＤ規格のフォーマットを示したものである。同図のフォーマットは、図２８に示すＨＤＭＩのＥＤＩＤ規格のフォーマットを拡張した例（Ｅ−ＥＤＩＤ（Ｅｎｈａｎｃｅｄ−ＥＤＩＤ））である。ＥＤＩＤは拡張を考慮した規格となっており、図２８のＥＤＩＤのアドレス‘７Ｅｈ’の拡張フラグによって拡張したフォーマットかどうかを示す。
【００５０】
図２は、１ブロックを追加して、映像補正の有無を追加されたブロック１に追加することで拡張した例である。ブロック１のアドレス‘００ｈ’にタグとして‘０ｘ６０ｈ’を、アドレス‘０１ｈ’に映像補正情報拡張Ｖｅｒｓｉｏｎを、アドレス‘０２ｈ’に映像補正の有無（０：無、１：有）を、アドレス‘７Ｆｈ’にチェックサムを配置している。
【００５１】
図３は、ＨＤＭＩケーブルを介して図１のＤＶＤレコーダ３０と図２７の従来のテレビ２０とを接続した映像信号処理システムの図である。ただし、図２７のテレビの記憶装置４０８には図２で示したデータが配置されている。
【００５２】
図４は、本実施の形態の映像信号処理装置の一例であるＤＶＤレコーダの動作を示すフローチャートである。
【００５３】
まず、ＤＶＤレコーダ３０のＨＤＭＩトランスミッタ処理部１１２は、ＨＤＭＩのＤＤＣラインを介して、テレビの記憶装置４０８から対応する映像及び音声のフォーマット並びに映像補正情報を取得する（Ｓ１０１）。次に、光ディスク記録再生処理部１０５は、地上アナログチューナー２０１、地上デジタルチューナー２０２、ＢＳデジタルチューナー２０３、ＣＳデジタルチューナー２０４、又は光ディスクドライブ２０５のディスクから映像信号及び音声信号を取得し、出力する（Ｓ１０２）。なお、上記のフォーマット及び映像補正情報の取得処理（Ｓ１０１）と、映像信号及び音声信号の取得処理（Ｓ１０２）とは、いずれが先に実行されてもよい。
【００５４】
映像補正切換部５０１は、取得した映像補正情報が「無」であるか「有」であるかを判定する（Ｓ１０３）。取得した映像補正情報が「無」である場合（Ｓ１０３でＹｅｓ）、階調補正処理部１０８及び輪郭補正処理部１０９が、映像信号に対して補正を行う（Ｓ１０４）。つまり、映像補正切換部５０１が、階調補正処理部１０８及び輪郭補正処理部１０９を通過した映像信号を映像合成処理部１１１に出力する。
【００５５】
取得した映像補正情報が「有」である場合（Ｓ１０３でＮｏ）、映像補正切換部５０１は、映像復調処理部１０７から出力される補正前の映像信号を映像合成処理部１１１に出力する。
【００５６】
映像合成処理部１１１は、映像補正切換部５０１から入力された映像信号とオンスクリーン表示処理部１１０から入力されたＯＳＤとの合成を行い、ＨＤＭＩトランスミッタ処理部１１２に出力する。
【００５７】
なお、音声信号は、音声処理部１０６にて処理され、ＨＤＭＩトランスミッタ処理部１１２に出力される（図４には図示せず）。
【００５８】
ＨＤＭＩトランスミッタ処理部１１２は、各種処理が実行された後の映像信号及び音声信号を、テレビ２０が対応する映像及び音声のフォーマットに変換してＴＭＤＳ信号を出力する（Ｓ１０５）。なお、図２に示す映像補正情報データがない場合には、映像補正情報が「無」で取得した場合と同じように動作する。
【００５９】
テレビ２０のＨＤＭＩレシーバ処理部３０５は、従来と同じようにＤＶＤレコーダ３０から出力されたＴＭＤＳ信号を処理して、映像信号及び音声信号を映像／音声入力切換部３０６に出力する。映像信号は、映像復調処理部３０８、階調補正処理部３０９、輪郭補正処理部３１０及び映像合成処理部３１２にて処理され、ディスプレイパネル４０６に表示する。音声信号は、音声処理部３０７にて処理され、スピーカー４０７から出力される。
【００６０】
以上のように、テレビ２０が映像補正処理を行う場合、すなわち、映像補正情報が「有」である場合、ＤＶＤレコーダ３０は映像補正処理を行わない。テレビ２０が映像補正処理を行わない場合、すなわち、映像補正情報が「無」である場合、ＤＶＤレコーダ３０は映像補正処理を行う。
【００６１】
以上のように構成された映像信号処理システムであれば、ＤＶＤレコーダ３０及びテレビ２０の両方で階調補正処理と輪郭補正処理が存在しても、テレビ２０に補正処理がある場合にＤＶＤレコーダ３０の補正処理を行なわなくすることができる。すなわち、二重に補正の処理が行なわないようにすることができる。これにより、画質が悪くなることによるユーザの不快感を無くすことができる。
【００６２】
（実施の形態２）
本実施の形態の映像表示装置の一例であるテレビは、ユーザが好みの映像に調整できるようにＯＳＤによる設定メニューを表示して、映像補正処理の有効（「入」）又は無効（「切」）を切り換える機能を有する。
【００６３】
図５は、本実施の形態の映像表示装置の一例であるテレビのブロック図である。同図のテレビ４０は、図２７に示すテレビ２０に、新たに、映像補正切換部５０２が追加された点が異なっている。以下では、図２７に示す従来のテレビ２０と同じ構成については説明を省略し、異なる点を中心に説明する。
【００６４】
映像補正切換部５０２は、映像復調処理部３０８が出力する補正前の映像信号と、階調補正処理部３０９と輪郭補正処理部３１０とが出力する補正後の映像信号とのいずれかを、ユーザの設定に基づいて、映像合成処理部３１２に出力する。
【００６５】
ユーザにより、補正処理が「入」と設定された場合、映像補正切換部５０２は、階調補正処理部３０９と輪郭補正処理部３１０とが補正処理を実行した映像信号を映像合成処理部３１２に出力する。補正処理が「切」と設定された場合、映像補正切換部５０２は、映像復調処理部３０８が出力する映像信号を映像合成処理部３１２に出力する。
【００６６】
図６は、ＨＤＭＩケーブルを介して図１のＤＶＤレコーダ３０と図５のテレビ４０とを接続した映像信号処理システムの図である。ただし、図５のテレビの記憶装置４０８には図２で示したデータが配置されている。
【００６７】
ＤＶＤレコーダ３０の動作は、実施の形態１と同様であり、図４に示すフローチャートに示される。すなわち、ＨＤＭＩケーブルを介してテレビ４０から取得した映像補正情報が「有」である場合、ＤＶＤレコーダ３０は映像補正処理を行わずに、映像信号をテレビ４０に出力する。映像補正情報が「無」である場合、ＤＶＤレコーダ３０は映像補正処理を行い、補正後の映像信号をテレビ４０に出力する。
【００６８】
図７は、本実施の形態の映像表示装置の一例であるテレビの動作を示すフローチャートである。
【００６９】
映像補正切換部５０２は、補正処理の有効又は無効を示すユーザの設定を取得する（Ｓ２０１）。
【００７０】
図８は、ディスプレイパネルに表示される設定メニューの例を示す図である。同図に示すように、ユーザは、フロントパネルキー又はリモコンなどを用いてテレビ４０が有する映像補正処理を有効（「入」）にするか無効（「切」）にするかを設定することができる。映像補正切換部５０２は、システム制御部３０４などを介してユーザの設定を取得する。
【００７１】
なお、システム制御部３０４は、この設定メニューの設定に従って、テレビ４０の記憶装置４０８に配置している映像補正情報を書き換える。具体的には、設定メニューで映像補正を有効にした場合は、図２のアドレス‘０２ｈ’を１（有効）に書き換える。設定メニューで映像補正を「切」にした場合は、図２のアドレス‘０２ｈ’を０（無効）に書き換える。
【００７２】
次に、ＨＤＭＩレシーバ処理部３０５は、ＤＶＤレコーダ３０から出力されたＴＭＤＳ信号を処理して映像信号及び音声信号を映像／音声入力切換部３０６に出力する（Ｓ２０２）。
【００７３】
次に、映像補正切換部５０２は、ユーザの設定が「入」であるか「切」であるかを判定する（Ｓ２０３）。ユーザの設定が「入」である場合（Ｓ２０３でＹｅｓ）、階調補正処理部３０９及び輪郭補正処理部３１０が、映像信号に対して補正を行う（Ｓ２０４）。つまり、映像補正切換部５０２が、階調補正処理部３０９及び輪郭補正処理部３１０を通過した映像信号を映像合成処理部３１２に出力する。
【００７４】
ユーザの設定が「切」である場合（Ｓ２０３でＮｏ）、映像補正切換部５０２は、映像復調処理部３０８から出力される映像信号を映像合成処理部３１２に出力する。
【００７５】
映像合成処理部３１２は、映像補正切換部５０２から入力された映像信号と、オンスクリーン表示処理部３１１から入力されたＯＳＤとを合成し、ディスプレイパネル４０６に出力する。ディスプレイパネル４０６は、入力された映像を表示する（Ｓ２０５）。
【００７６】
なお、音声信号は、音声処理部３０７にて処理され、スピーカー４０７から出力される。
【００７７】
以上のようにすることで、テレビ４０で映像補正処理を「切」にしている場合、ＤＶＤレコーダ３０で映像補正処理を実行することができる。また、テレビ４０で映像補正処理を「入」にしている場合はＤＶＤレコーダ３０で映像補正を実行しないようにすることができる。これにより、二重に補正が入ることがなく、ユーザに快適な映像を提供することができる。
【００７８】
（実施の形態３）
本実施の形態の映像信号出力装置の一例であるＤＶＤレコーダ及び映像表示装置の一例であるテレビは、選択的に複数の補正処理を実行する。例えば、ＤＶＤレコーダで階調補正処理を実行し、テレビで輪郭補正処理を実行することができる。
【００７９】
まず、本実施の形態の映像信号出力装置の一例であるＤＶＤレコーダの構成について説明する。
【００８０】
図９は、本実施の形態の映像信号出力装置の一例であるＤＶＤレコーダのブロック図である。同図のＤＶＤレコーダ５０は、図１に示すＤＶＤレコーダ３０の映像補正切換部５０１の代わりに映像補正切換部６０１が加えられた点が異なる。以下では、図１に示すＤＶＤレコーダ３０と同じ構成については説明を省略し、異なる点を中心に説明する。
【００８１】
映像補正切換部６０１は、階調補正処理部１０８及び輪郭補正処理部１０９のそれぞれの処理の有効又は無効を切り換える。すなわち、映像補正切換部６０１は、映像復調処理部１０７において復調された映像信号に対して、階調補正処理のみを実行した映像信号、輪郭補正処理のみを実行した映像信号、階調補正処理及び輪郭補正処理の双方を実行した映像信号、及び、階調補正処理及び輪郭補正処理のいずれも実行されていない映像信号の４つの映像信号から１つの映像信号を選択して映像合成処理部１１１に出力する。
【００８２】
続いて、本実施の形態の映像表示装置の一例であるテレビの構成について説明する。
【００８３】
図１０は、本実施の形態の映像表示装置の一例であるテレビのブロック図である。同図のテレビ６０は、図５に示すテレビ４０の映像補正切換部５０２の代わりに映像補正切換部６０２が加えられた点が異なる。以下では、図５に示すテレビ４０と同じ構成については説明を省略し、異なる点を中心に説明する。
【００８４】
映像補正切換部６０２は、階調補正処理部３０９及び輪郭補正処理部３１０のそれぞれの処理の有効又は無効を切り換える。すなわち、映像補正切換部６０２は、映像復調処理部３０８において復調された映像信号に対して、階調補正処理のみを実行した映像信号、輪郭補正処理のみを実行した映像信号、階調補正処理及び輪郭補正処理の双方を実行した映像信号、及び、階調補正処理及び輪郭補正処理のいずれも実行されていない映像信号の４つの映像信号から１つの映像信号を選択して映像合成処理部３１２に出力する。
【００８５】
図１１は、本実施の形態のＨＤＭＩのＥＤＩＤ規格のフォーマットを示したものである。同図のフォーマットは、図２に示すＨＤＭＩのＥＤＩＤ規格のフォーマットを拡張した例であり、図２のアドレス‘０３ｈ’に映像補正の種類を追加した構成である。この例では、アドレス‘０３ｈ’の０ビット目に階調補正の有無を、１ビット目に輪郭補正の有無を割り当てている。１なら「有」、０なら「無」である。少なくとも１つのビットが１の場合は、アドレス‘０２ｈ’は１であり、両方のビットが０の場合は、アドレス‘０２ｈ’は０である。
【００８６】
なお、当然ながら、補正処理の種類は上記の２つに限らず、明度補正や彩度補正などの他の補正処理があってもよい。この場合、アドレス‘０３ｈ’の２ビット目以降に他の補正処理の有効又は無効を示す情報が書き込まれる。少なくとも１つのビットが１の場合は、アドレス‘０２ｈ’は１であり、全てのビットが０の場合は、アドレス‘０２ｈ’は０である。
【００８７】
また、本実施の形態のテレビ６０は、実施の形態２と同様に、ユーザが好みの映像に調整できるようにＯＳＤによる設定メニューを表示して、映像補正処理のそれぞれについて有効又は無効を切り換える機能を有する。
【００８８】
図１２は、ディスプレイパネルに表示される設定メニューの例を示す図である。同図に示すように、フロントパネルキー又はリモコンなどを用いて、テレビ６０が有する階調補正処理と輪郭補正処理とのそれぞれに対して「入」又は「切」を設定することができる。
【００８９】
この設定メニューの設定に従って、システム制御部３０４は、テレビ６０の記憶装置４０８に配置している映像補正情報を書き換える。
【００９０】
具体的には、設定メニューで階調補正処理を「入」、輪郭補正処理を「入」にした場合は、図１１のアドレス‘０２ｈ’を１に、アドレス‘０３ｈ’を３に書き換える。設定メニューで階調補正処理を「入」、輪郭補正処理を「切」にした場合は、図１１のアドレス‘０２ｈ’を１に、アドレス‘０３ｈ’を１に書き換える。設定メニューで階調補正処理を「切」、輪郭補正処理を「入」にした場合は、図１１のアドレス‘０２ｈ’を１に、アドレス‘０３ｈ’を２に書き換える。設定メニューで階調補正処理を「切」、輪郭補正処理を「切」にした場合は、図１１のアドレス‘０２ｈ’を０に、アドレス‘０３ｈ’を０に書き換える。
【００９１】
図１３は、ＨＤＭＩケーブルを介して図９のＤＶＤレコーダ５０と図１０のテレビ６０とを接続した映像信号処理システムの図である。ただし、図１０のテレビの記憶装置４０８には図１１で示したデータが配置されている。
【００９２】
図１４は、本実施の形態の映像信号出力装置の一例であるＤＶＤレコーダの動作を示すフローチャートである。
【００９３】
ＤＶＤレコーダ５０のＨＤＭＩトランスミッタ処理部１１２は、ＨＤＭＩのＤＤＣラインを介して、テレビの記憶装置４０８から対応する映像及び音声のフォーマット並びに映像補正情報を取得する（Ｓ３０１）。光ディスク記録再生処理部１０５は、地上アナログチューナー２０１、地上デジタルチューナー２０２、ＢＳデジタルチューナー２０３、ＣＳデジタルチューナー２０４、又は、光ディスクドライブ２０５のディスクから映像信号及び音声信号を取得し、出力する（Ｓ３０２）。なお、上記のフォーマット及び映像補正情報の取得処理（Ｓ３０１）と、映像信号及び音声信号の取得処理（Ｓ３０２）とは、いずれが先に実行されてもよい。
【００９４】
映像補正切換部６０１は、取得した映像補正情報が「無」であるか「有」であるかを判定する（Ｓ３０３）。
【００９５】
取得した映像補正情報が「無」である場合（Ｓ３０３でＹｅｓ）、映像信号に対してＤＶＤレコーダ５０が有する全ての補正処理を実行する（Ｓ３０４）。
【００９６】
具体的には、映像補正情報が「無」である場合とは、階調補正処理の有無情報が「無」であり、輪郭補正処理の有無情報が「無」である場合である。有無情報とは、補正処理の有効又は無効を示す情報である。この場合、映像補正切換部６０１は、映像復調処理部１０７、階調補正処理部１０８及び輪郭補正処理部１０９を通過した映像信号を映像合成処理部１１１に出力する。
【００９７】
取得した映像補正情報が「有」である場合（Ｓ３０３でＮｏ）、映像信号に対してＤＶＤレコーダ５０が有する補正処理のうち、有無情報が「無」である種類の補正処理を実行する（Ｓ３０５）。
【００９８】
例えば、階調補正に関する有無情報が「有」であり、輪郭補正に関する有無情報が「無」である場合、映像補正切換部６０１は、映像復調処理部１０７及び輪郭補正処理部１０９を通過した映像信号を映像合成処理部１１１に出力する。
【００９９】
階調補正に関する有無情報が「無」であり、輪郭補正に関する有無情報が「有」である場合、映像補正切換部６０１は、映像復調処理部１０７及び階調補正処理部１０８を通過した映像信号を映像合成処理部１１１に出力する。
【０１００】
また、階調補正に関する有無情報が「有」であり、輪郭補正に関する有無情報が「有」である場合、映像補正切換部６０１は、映像復調処理部１０７を通過した映像信号を映像合成処理部１１１に出力する。
【０１０１】
映像合成処理部１１１は、映像補正切換部６０１から入力された映像信号と、オンスクリーン表示処理部１１０から入力されたＯＳＤとの合成を行い、ＨＤＭＩトランスミッタ処理部１１２に出力する。なお、音声信号は、音声処理部１０６にて処理され、ＨＤＭＩトランスミッタ処理部１１２に出力される。
【０１０２】
ＨＤＭＩトランスミッタ処理部１１２は、各種処理が実行された後の映像信号及び音声信号を、テレビ６０が対応する映像及び音声のフォーマットに変換してＴＭＤＳ信号を出力する（Ｓ３０６）。
【０１０３】
なお、本実施の形態では、映像補正切換部６０１は、映像信号が通過する経路を選択するが、映像補正切換部６０１が、階調補正処理部１０８及び輪郭補正処理部１０９の有効又は無効を切り換えるとしてもよい。
【０１０４】
また、ＤＶＤレコーダ５０が有する補正処理は、上記の２つに限られず、例えば、明度補正処理などを備えていてもよい。
【０１０５】
図１５は、本実施の形態の映像表示装置の一例であるテレビの動作を示すフローチャートである。
【０１０６】
映像補正切換部６０２は、補正処理の有効又は無効を示すユーザの設定を取得する（Ｓ４０１）。
【０１０７】
次に、ＨＤＭＩレシーバ処理部３０５は、ＤＶＤレコーダ５０から出力されたＴＭＤＳ信号を処理して映像信号及び音声信号を映像／音声入力切換部３０６に出力する（Ｓ４０２）。
【０１０８】
次に、ユーザの設定が「入」となる補正処理があるか否かを判定する（Ｓ４０３）。
【０１０９】
ユーザの設定が「入」となる補正処理がある場合（Ｓ４０３でＹｅｓ）、ユーザの設定が「入」である補正処理を実行する（Ｓ４０４）。
【０１１０】
例えば、階調補正処理に関する設定が「入」であり、輪郭補正処理に関する設定が「切」である場合、映像補正切換部６０２は、映像復調処理部３０８及び階調補正処理部３０９を通過した映像信号を映像合成処理部３１２に出力する。
【０１１１】
階調補正処理に関する設定が「切」であり、輪郭補正処理に関する設定が「入」である場合、映像補正切換部６０２は、映像復調処理部３０８及び輪郭補正処理部３１０を通過した映像信号を映像合成処理部３１２に出力する。
【０１１２】
階調補正処理に関する設定が「入」であり、輪郭補正処理に関する設定が「入」である場合、映像補正切換部６０２は、映像復調処理部３０８、階調補正処理部３０９及び輪郭補正処理部３１０を通過した映像信号を映像合成処理部３１２に出力する。
【０１１３】
ユーザの設定が「入」となる補正処理がない場合（Ｓ４０３でＮｏ）、テレビ６０では、補正処理を実行しない。具体的には、映像補正切換部６０２は、映像復調処理部３０８を通過した映像信号を映像合成処理部３１２に出力する。
【０１１４】
映像合成処理部３１２は、映像補正切換部６０２から入力された映像信号と、オンスクリーン表示処理部３１１から入力されたＯＳＤとを合成し、ディスプレイパネル４０６に出力する。ディスプレイパネル４０６は、入力された映像を表示する（Ｓ４０５）。
【０１１５】
また、音声信号は、音声処理部３０７にて処理され、スピーカー４０７から出力される。
【０１１６】
以上のように、テレビの設定メニューの状態による補正の組み合わせにて厳密に動作させることができるようになり、高レベルなユーザの要求に応えることが可能となる。また、一方の装置で実行された補正処理を除く補正処理を他方の装置で実行することができる。これにより、同一の補正処理が双方の装置で実行されることによる画質の悪化がもたらすユーザの不快感を削減すると共に、必要な補正処理を確実に実行することができる。
【０１１７】
（実施の形態４）
本実施の形態の映像信号処理システムでは、映像信号出力装置及び映像表示装置の製造者に関する情報と、各装置が有する映像補正処理のバージョンに関する情報とをやり取りすることで、より新しい映像補正処理を映像信号に対して実行する。
【０１１８】
図１６は、本実施の形態の映像信号出力装置の一例であるＤＶＤレコーダのブロック図である。同図のＤＶＤレコーダ７０は、図９に示すＤＶＤレコーダ５０に、新たに、ＣＥＣ通信制御部７０１が追加された点が異なる。以下では、図９に示すＤＶＤレコーダ７０と同じ構成については説明を省略し、異なる点を中心に説明する。
【０１１９】
ＣＥＣ通信制御部７０１は、ＨＤＭＩのＣＥＣ（Ｃｏｎｓｕｍｅｒ  Ｅｌｅｃｔｒｏｎｉｃｓ  Ｃｏｎｔｒｏｌ）の仕様に基づく通信を制御する。
【０１２０】
ここでまず、ＣＥＣについて図に示した例を用いて説明する。
【０１２１】
ＣＥＣは、ＨＤＭＩケーブルで接続された他のデバイスを制御する機能である。例えば、Ｏｎｅ  Ｔｏｕｃｈ  Ｐｌａｙと呼ばれる１ボタンでその機器がアクティブなソースとなり、映像の再生を始める。また、Ｓｙｓｔｅｍ  Ｓｔａｎｄｂｙと呼ばれる１ボタンで全ての機器をスタンバイに切り替える機能がある。
【０１２２】
図１７は、ＣＥＣのフレームを説明した図である。同図は、記録装置からテレビへ、Ｏｐｃｏｄｅ＜Ｒｅｐｏｒｔ  Ｐｏｗｅｒ  Ｓｔａｔｕｓ＞とＯｐｅｒａｎｄ［Ｐｏｗｅｒ  Ｓｔａｔｕｓ］とを送信する場合の例を示す。同図に示すＣＥＣフレームは、Ｓｔａｒｔ  ＢｉｔとＤａｔａ  Ｂｉｔの２種類のビットで構成される。
【０１２３】
Ｓｔａｒｔ  Ｂｉｔは、送信開始を示すビットである。Ｄａｔａ  Ｂｉｔはデータ“０”及び“１”を示すビットである。
【０１２４】
Ｄａｔａ  Ｂｉｔで示される内容は、Ｈｅａｄｅｒ  Ｂｌｏｃｋと、Ｄａｔａ  Ｂｌｏｃｋ１と、Ｄａｔａ  Ｂｌｏｃｋ２〜Ｄａｔａ  ＢｌｏｃｋＮと、ＥＯＭ（Ｅｎｄ  Ｏｆ  Ｍｅｓｓａｇｅ）と、ＡＣＫ（ＡＣＫｎｏｗｌｅｄｇｅ）とである。
【０１２５】
Ｈｅａｄｅｒ  Ｂｌｏｃｋは、８ビットのＤａｔａ  Ｂｉｔからなり、ｉｎｉｔｉａｔｏｒアドレスとｄｅｓｔｉｎａｔｉｏｎアドレスとを含む。ｉｎｉｔｉａｔｏｒアドレスは、ｉｎｉｔｉａｔｏｒの論理アドレスであり、記録装置を示す。ｄｅｓｔｉｎａｔｉｏｎアドレスは、宛先となるデバイスの論理アドレスであり、テレビを示す。
【０１２６】
Ｄａｔａ  Ｂｌｏｃｋ１は、８ビットのＤａｔａ  Ｂｉｔからなり、Ｏｐｃｏｄｅを示す。
【０１２７】
Ｄａｔａ  Ｂｌｏｃｋ２〜Ｄａｔａ  ＢｌｏｃｋＮは、８ビットのＤａｔａ  Ｂｉｔからなり、Ｏｐｅｒａｎｄを示す。このＤａｔａ  Ｂｌｏｃｋの個数は、Ｏｐｃｏｄｅに依存する。Ｏｐｃｏｄｅによっては０個である場合もある。
【０１２８】
ＥＯＭは、１ビットのＤａｔａ  Ｂｉｔからなり、Ｈｅａｄｅｒ  ＢｌｏｃｋとＤａｔａ  Ｂｌｏｃｋとに続くビットである。メッセージの継続又は終了を示す。例えば、“０”は、メッセージの継続を示す。“１”は、メッセージの終了を示す。
【０１２９】
ＡＣＫは、１ビットのＤａｔａ  Ｂｉｔからなり、ＥＯＭの後に続くビットである。“０”は、肯定応答ＡＣＫであり、受信可能であることを示す。“１”は、否定応答ＮＡＣＫであり、受信不可であることを示す。
【０１３０】
図１８は、ＣＥＣのフレームを構成する信号のタイミングについて説明した図である。
【０１３１】
図１８（ａ）は、Ｓｔａｒｔ  Ｂｉｔのタイミング、すなわち、送信を開始することを示すビットのタイミングを示す図である。
【０１３２】
送信側は、Ｓｔａｒｔ  Ｂｉｔの開始から３．７ｍｓまで“Ｌ”を出力する。その後、“Ｈ”を出力し、Ｓｔａｒｔ  Ｂｉｔの開始から４．５ｍｓ後に、次のビット（Ｄａｔａ  Ｂｉｔ）の送信を始めるために“Ｌ”を出力する。
【０１３３】
受信側は、バスが“Ｌ”になると監視を開始する。Ａの区間（Ｓｔａｒｔ  Ｂｉｔの開始から３．５〜３．９ｍｓ間）で“Ｈ”になることと、Ｂの区間（Ｓｔａｒｔ  Ｂｉｔの開始から４．３〜４．７ｍｓ間）で“Ｌ”になることとが確認されると、受信した信号がＳｔａｒｔ  Ｂｉｔであると判別する。
【０１３４】
図１８（ｂ）は、Ｄａｔａ  Ｂｉｔのタイミング、すなわち、データを示すビットのタイミングを示す図である。
【０１３５】
ｉｎｉｔｉａｔｏｒ側は、“０”を表すビットの場合、Ｄａｔａ  Ｂｉｔの開始から１．５ｍｓまで“Ｌ”を出力する。“１”を表すビットの場合、Ｄａｔａ  Ｂｉｔの開始から０．６ｍｓまで“Ｌ”を出力する。Ｄａｔａ  Ｂｉｔの合計期間は“０”及び“１”共にＤａｔａ  Ｂｉｔの開始から２．４ｍｓである。あるＤａｔａ  Ｂｉｔに続けてＤａｔａ  Ｂｉｔを送信する場合はこの２．４ｍｓで再び“Ｌ”を出力する。続くデータが無い場合、ＣＥＣラインを“Ｈ”のままとする。
【０１３６】
ｆｏｌｌｏｗｅｒ側は、Ｄａｔａ  Ｂｉｔの開始から１．０５ｍｓ後にバスを見て、“Ｌ”であれば“０”、“Ｈ”であれば“１”と認識する。ただし、Ｃの区間（Ｄａｔａ  Ｂｉｔの開始から１．３〜１．７ｍｓ間）、又は、Ｄの区間（Ｄａｔａ  Ｂｉｔ開始から０．４〜０．８ｍｓ間）でバスが“Ｈ”へ変化しており、かつ、次のＤａｔａ  Ｂｉｔの開始の“Ｌ”の出力がＥの区間（Ｄａｔａ  Ｂｉｔ開始から２．０５〜２．７５ｍｓ間）でなければ、正常なＤａｔａ  Ｂｉｔと認めない。
【０１３７】
なお、上記で示した期間などを示す数値及びフレーム構造などは、ＣＥＣの仕様に基づくものである。したがって、これらの数値は、通信に用いる規格の仕様に応じて変更することが可能である。
【０１３８】
図１９は、ＣＥＣで扱われる論理アドレスを示した図である。各ＨＤＭＩ機器は論理アドレスを持ち、通信時に送信元と送信先が分かるように論理アドレスを使って通信を行なう。すなわち、同図の論理アドレスを、図１７に示すＨｅａｄｅｒ  Ｂｌｏｃｋのｉｎｉｔｉａｔｏｒアドレス及びｄｅｓｔｉｎａｔｉｏｎアドレスとして使用する。
【０１３９】
また、ＣＥＣはベンダー特定のコマンドセットを同一ベンダーのデバイス間の通信に使用可能とするために、ベンダー特定のコマンドを定義できるようになっている。
【０１４０】
図２０は、ＣＥＣのベンダー特定のコマンドとして、映像補正の「入」及び「切」を指令するためのコマンドの例を示している。
【０１４１】
例えば、ＤＶＤレコーダ７０と図２１に示すテレビ８０とがＨＤＭＩケーブルで接続された映像信号処理システムにおいて、ＤＶＤレコーダ７０からＣＥＣ通信にてテレビ８０の映像補正の「入」及び「切」を制御することができる。
【０１４２】
図２１は、本実施の形態の映像表示装置の一例であるテレビのブロック図である。同図のテレビ８０は、図１０に示すテレビ６０に、新たに、ＣＥＣ通信制御部７０２が追加された点が異なる。以下では、図１０に示すテレビ６０と同じ構成については説明を省略し、異なる点を中心に説明する。
【０１４３】
ＣＥＣ通信制御部７０２は、ＨＤＭＩのＣＥＣの仕様に基づく通信を制御する。ＣＥＣ通信制御部７０２が、図２０に示す映像補正の「入」又は「切」の指令を受けた場合には、映像補正切換部６０２は、指令に従って映像信号を映像合成処理部３１２に出力する。
【０１４４】
図２２は、本実施の形態のＨＤＭＩのＥＤＩＤ規格のフォーマットを示したものである。同図のフォーマットは、図１１に示すＨＤＭＩのＥＤＩＤ規格のフォーマットを拡張した例である。図１１のアドレス‘０４ｈ’に階調補正Ｖｅｒｓｉｏｎを、アドレス‘０５ｈ’に輪郭補正Ｖｅｒｓｉｏｎを追加した構成である。
【０１４５】
図２３は、ＨＤＭＩケーブルを介して図１６のＤＶＤレコーダ７０と図２１のテレビ８０とを接続した映像信号処理システムの図である。ただし、図２１のテレビの記憶装置４０８には図２２で示したデータが配置されている。
【０１４６】
図２４は、本実施の形態の映像信号出力装置の一例であるＤＶＤレコーダの動作を示すフローチャートである。
【０１４７】
ＤＶＤレコーダ７０のＨＤＭＩトランスミッタ処理部１１２は、ＨＤＭＩのＤＤＣラインを介して、テレビの記憶装置４０８から対応する映像及び音声のフォーマット並びに映像補正情報を取得する（Ｓ５０１）。光ディスク記録再生処理部１０５は、地上アナログチューナー２０１、地上デジタルチューナー２０２、ＢＳデジタルチューナー２０３、ＣＳデジタルチューナー２０４、又は、光ディスクドライブ２０５のディスクから映像信号及び音声信号を取得し、出力する（Ｓ５０２）。なお、上記のフォーマット及び映像補正情報の取得処理（Ｓ５０１）と、映像信号及び音声信号の取得処理（Ｓ５０２）とは、いずれが先に実行されてもよい。
【０１４８】
映像補正切換部６０１は、取得した映像補正情報が「無」であるか「有」であるかを判定する（Ｓ５０３）。取得した映像補正情報が「無」である場合（Ｓ５０３でＹｅｓ）、映像信号に対してＤＶＤレコーダ７０が有する全ての補正処理を実行する（Ｓ５０４）。この場合、映像補正切換部６０１は、映像復調処理部１０７、階調補正処理部１０８及び輪郭補正処理部１０９を通過した映像信号を映像合成処理部１１１に出力する。
【０１４９】
取得した映像補正情報が「有」である場合（Ｓ５０３でＮｏ）、取得したテレビ８０の製造者がＤＶＤレコーダ７０の製造者と同じであるかを判定する（Ｓ５０５）。
【０１５０】
製造者が同じである場合（Ｓ５０５でＹｅｓ）、各補正処理についての有無情報が「有」である補正処理のうち、ＤＶＤレコーダ７０が有する補正処理のバージョンが、テレビ８０が有する補正処理のバージョンより新しいか否かを判定する（Ｓ５０６）。
【０１５１】
ＤＶＤレコーダ７０が有する補正処理のバージョンが、テレビ８０が有する補正処理のバージョンより新しいという条件を満たす場合（Ｓ５０６でＹｅｓ）、ＤＶＤレコーダ７０において、この条件に該当する補正処理が実行される（Ｓ５０７）。さらに、ＣＥＣ通信制御部７０２は、この条件に該当するテレビ８０が有する補正処理を「切」に設定するための指令情報をテレビ８０に出力する（Ｓ５０８）。
【０１５２】
そして、テレビ８０から取得した有無情報が「無」である補正処理と同一の補正処理がＤＶＤレコーダ７０において実行される（Ｓ５０９）。なお、この処理は、ＤＶＤレコーダ７０の製造者とテレビ８０の製造者とが異なる場合（Ｓ５０５でＮｏ）、及び、ＤＶＤレコーダ７０が有する補正処理のバージョンが、テレビ８０が有する補正処理のバージョンより新しいという条件を満たさない場合（Ｓ５０６でＮｏ）も実行される。
【０１５３】
最後に、映像補正切換部６０１は、各種補正処理が実行された映像信号を映像合成処理部１１１に出力する。映像合成処理部１１１は、映像補正切換部６０１から入力された映像信号と、オンスクリーン表示処理部１１０から入力されたＯＳＤとの合成を行い、ＨＤＭＩトランスミッタ処理部１１２に出力する。なお、音声信号は、音声処理部１０６にて処理され、ＨＤＭＩトランスミッタ処理部１１２に出力される。
【０１５４】
ＨＤＭＩトランスミッタ処理部１１２は、各種処理が実行された後の映像信号及び音声信号を、テレビ８０が対応する映像及び音声のフォーマットに変換してＴＭＤＳ信号を出力する（Ｓ５１０）。
【０１５５】
以下では、図２４のフローチャートで説明した補正に関わる処理（Ｓ５０３〜Ｓ５０９）について、図１６の構成を用いて説明する。図１６に示すように、映像補正の種類は、階調補正処理と輪郭補正処理との２つであるものとする。
【０１５６】
まず、取得した映像補正情報が「無」の場合は、映像補正切換部６０１は、映像復調処理部１０７、階調補正処理部１０８及び輪郭補正処理部１０９を通過した映像信号を映像合成処理部１１１に出力する。
【０１５７】
続いて、映像補正情報が「有」であり、かつ、テレビ８０から取得したテレビ８０の製造者名が、ＤＶＤレコーダ７０の製造者と同じである場合について例を挙げながら説明する。
【０１５８】
階調補正処理の有無情報が「無」、輪郭補正処理の有無情報が「有」で、テレビ８０の輪郭補正ＶｅｒｓｉｏｎがＤＶＤレコーダ７０の輪郭補正Ｖｅｒｓｉｏｎより新しい場合、ＣＥＣ通信制御部７０１は、図２０の補正切換コマンドとしてオペコード＝０ｘ８９、オペランド＝０ｘ０３のデータを送信することで、テレビ８０の輪郭補正処理を「入」に設定する。映像補正切換部６０１は、映像復調処理部１０７及び階調補正処理部１０８を通過した映像信号を映像合成処理部１１１に出力する。
【０１５９】
階調補正処理の有無情報が「無」、輪郭補正処理の有無情報が「有」で、テレビ８０の輪郭補正ＶｅｒｓｉｏｎがＤＶＤレコーダ７０の輪郭補正Ｖｅｒｓｉｏｎより古い場合、ＣＥＣ通信制御部７０１は、図２０の補正切換コマンドとしてオペコード＝０ｘ８９、オペランド＝０ｘ０２のデータを送信することで、テレビ８０の輪郭補正処理を「切」に設定する。映像補正切換部６０１は、映像復調処理部１０７、階調補正処理部１０８及び輪郭補正処理部１０９を通過した映像信号を映像合成処理部１１１に出力する。
【０１６０】
階調補正処理の有無情報が「有」、輪郭補正処理の有無情報が「無」で、テレビ８０の階調補正ＶｅｒｓｉｏｎがＤＶＤレコーダ７０の階調補正Ｖｅｒｓｉｏｎより新しい場合、ＣＥＣ通信制御部７０１は、図２０の補正切換コマンドとしてオペコード＝０ｘ８９、オペランド＝０ｘ０１のデータを送信することで、テレビ８０の階調補正処理を「入」に設定する。映像補正切換部６０１は、映像復調処理部１０７及び輪郭補正処理部１０９を通過した映像信号を映像合成処理部１１１に出力する。
【０１６１】
階調補正処理の有無情報が「有」、輪郭補正処理の有無情報が「無」で、テレビ８０の階調補正ＶｅｒｓｉｏｎがＤＶＤレコーダ７０の階調補正Ｖｅｒｓｉｏｎより古い場合、ＣＥＣ通信制御部７０１は、図２０の補正切換コマンドとしてオペコード＝０ｘ８９、オペランド＝０ｘ００のデータを送信することで、テレビ８０の階調補正処理を「切」に設定する。映像補正切換部６０１は、映像復調処理部１０７、階調補正処理部１０８及び輪郭補正処理部１０９を通過した映像信号を映像合成処理部１１１に出力する。
【０１６２】
階調補正処理の有無情報が「有」、輪郭補正処理の有無情報が「有」で、テレビ８０の階調補正ＶｅｒｓｉｏｎがＤＶＤレコーダ７０の階調補正Ｖｅｒｓｉｏｎより古く、かつ、輪郭補正ＶｅｒｓｉｏｎもＤＶＤレコーダの輪郭補正Ｖｅｒｓｉｏｎより古い場合、ＣＥＣ通信制御部７０１は、図２０の補正切換コマンドとしてオペコード＝０ｘ８９、オペランド＝０ｘ００のデータと、オペコード＝０ｘ８９、オペランド＝０ｘ０２のデータとを送信することで、テレビ８０の階調補正処理と輪郭補正処理とを「切」に設定する。映像補正切換部６０１は、映像復調処理部１０７、階調補正処理部１０８及び輪郭補正処理部１０９を通過した映像信号を映像合成処理部１１１に出力する。
【０１６３】
階調補正処理の有無情報が「有」、輪郭補正処理の有無情報が「有」で、テレビ８０の階調補正ＶｅｒｓｉｏｎがＤＶＤレコーダ７０の階調補正Ｖｅｒｓｉｏｎより古く、かつ、輪郭補正ＶｅｒｓｉｏｎはＤＶＤレコーダの輪郭補正Ｖｅｒｓｉｏｎより新しい場合、ＣＥＣ通信制御部７０１は、図２０の補正切換コマンドとしてオペコード＝０ｘ８９、オペランド＝０ｘ００のデータと、オペコード＝０ｘ８９、オペランド＝０ｘ０３のデータとを送信することで、テレビ８０の階調補正処理を「切」、輪郭補正処理を「入」に設定する。映像補正切換部６０１は、映像復調処理部１０７及び階調補正処理部１０８を通過した映像信号を映像合成処理部１１１に出力する。
【０１６４】
階調補正処理の有無情報が「有」、輪郭補正処理の有無情報が「有」で、テレビ８０の階調補正ＶｅｒｓｉｏｎがＤＶＤレコーダ７０の階調補正Ｖｅｒｓｉｏｎより新しく、かつ、輪郭補正ＶｅｒｓｉｏｎはＤＶＤレコーダの輪郭補正Ｖｅｒｓｉｏｎより古い場合、ＣＥＣ通信制御部７０１は、図２０の補正切換コマンドとしてオペコード＝０ｘ８９、オペランド＝０ｘ０１のデータと、オペコード＝０ｘ８９、オペランド＝０ｘ０２のデータとを送信することで、テレビ８０の階調補正処理を「入」、輪郭補正処理を「切」に設定する。映像補正切換部６０１は、映像復調処理部１０７及び輪郭補正処理部１０９を通過した映像信号を映像合成処理部１１１に出力する。
【０１６５】
階調補正処理の有無情報が「有」、輪郭補正処理の有無情報が「有」で、テレビ８０の階調補正ＶｅｒｓｉｏｎがＤＶＤレコーダ７０の階調補正Ｖｅｒｓｉｏｎより新しく、かつ、輪郭補正ＶｅｒｓｉｏｎもＤＶＤレコーダの輪郭補正Ｖｅｒｓｉｏｎより新しい場合、ＣＥＣ通信制御部７０１は、図２０の補正切換コマンドとしてオペコード＝０ｘ８９、オペランド＝０ｘ０１のデータと、オペコード＝０ｘ８９、オペランド＝０ｘ０３のデータとを送信することで、テレビ８０の階調補正処理と輪郭補正処理とを「入」に設定する。映像補正切換部６０１は、映像復調処理部１０７を通過した映像信号を映像合成処理部１１１に出力する。
【０１６６】
図２５は、本実施の形態の映像表示装置の一例であるテレビの動作について説明する。
【０１６７】
本実施の形態のテレビ８０の動作は、図１５に示すテレビ６０の動作の、ユーザの設定取得処理（Ｓ５０１）とＴＭＤＳ信号の取得処理（Ｓ５０２）との間に、指令情報の取得及び設定変更処理が加えられた点が異なる。
【０１６８】
これにより、ユーザの設定を取得した（Ｓ６０１）後に、ＨＤＭＩケーブルで接続されたＤＶＤレコーダ７０からの指令情報により設定を変更する（Ｓ６０２）。そして、この変更された設定に基づいて、各種補正処理（Ｓ６０３〜Ｓ６０５）が実行され、得られた映像を表示する（Ｓ６０６）。
【０１６９】
例えば、ユーザの設定により階調補正処理が「入」であり、輪郭補正情報が「入」である場合に、階調補正処理を「切」にする指令情報を、ＣＥＣ通信制御部７０２が取得したとする。この場合、映像補正切換部６０２は、映像復調処理部３０８及び輪郭補正処理部３１０を通過した映像信号を映像合成処理部３１２に出力する。
【０１７０】
以上のように構成された映像信号処理システムであれば、同じ製造者間のＤＶＤレコーダとテレビで構成されるシステムにおいて、ＤＶＤレコーダとテレビの映像補正のＶｅｒｓｉｏｎの新しいほうの補正処理を施すことが可能となり、さらに高画質な映像を表示することができる。
【０１７１】
以上、本発明の映像信号出力装置、映像表示装置及び映像信号処理システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１７２】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【０１７３】
また、ここまでに、補正の処理を階調補正処理と輪郭補正処理の２つとしたが、これらの補正に限定するものではない。例えば、明度補正処理や彩度補正処理などが例として挙げられる。
【０１７４】
また、ＥＤＩＤのフォーマット及びＣＥＣコマンドについては一例を示したものであり、ここまでの説明に限定するものではない。
【０１７５】
さらに、映像信号出力装置をＤＶＤレコーダ、映像表示装置をテレビとして説明したが、これらの装置に限定するものではなく、映像を補正して出力するあらゆる映像信号出力装置、映像を補正して表示するあらゆる映像表示装置に適用できる。
【産業上の利用可能性】
【０１７６】
本発明の、映像信号出力装置、映像表示装置及び映像信号処理システムは、特にＨＤＭＩを搭載した機器、例えば、ＤＶＤレコーダやテレビなどで有用である。
【図面の簡単な説明】
【０１７７】
【図１】実施の形態１のＤＶＤレコーダの構成を示すブロック図である。
【図２】実施の形態１のＥＤＩＤの拡張フォーマットを示す図である。
【図３】実施の形態１のＤＶＤレコーダと従来のテレビとを組み合わせた映像信号処理システムを示す図である。
【図４】実施の形態１のＤＶＤレコーダの動作を示すフローチャートである。
【図５】実施の形態２のテレビの構成を示すブロック図である。
【図６】実施の形態１のＤＶＤレコーダと実施の形態２のテレビとを組み合わせた映像信号処理システムを示す図である。
【図７】実施の形態２のテレビの動作を示すフローチャートである。
【図８】実施の形態２のユーザ設定メニューの動作の例を示す図である。
【図９】実施の形態３のＤＶＤレコーダの構成を示すブロック図である。
【図１０】実施の形態３のテレビの構成を示すブロック図である。
【図１１】実施の形態３のＥＤＩＤの拡張フォーマットを示す図である。
【図１２】実施の形態３のユーザ設定メニューの動作の例を示す図である。
【図１３】実施の形態３のＤＶＤレコーダとテレビとを組み合わせた映像信号処理システムを示す図である。
【図１４】実施の形態３のＤＶＤレコーダの動作を示すフローチャートである。
【図１５】実施の形態３のテレビの動作を示すフローチャートである。
【図１６】実施の形態４のＤＶＤレコーダの構成を示すブロック図である。
【図１７】ＨＤＭＩのＣＥＣオプションフレームを示す図である。
【図１８】ＨＤＭＩのＣＥＣオプションビットタイミングを示す図である。
【図１９】ＨＤＭＩのＣＥＣオプション論理アドレス表である。
【図２０】実施の形態４のＣＥＣコマンドの例を示す図である。
【図２１】実施の形態４のテレビの構成を示すブロック図である。
【図２２】実施の形態４のＥＤＩＤの拡張フォーマットを示す図である。
【図２３】実施の形態４のＤＶＤレコーダとテレビとを組み合わせた映像信号処理システムを示す図である。
【図２４】実施の形態４のＤＶＤレコーダの動作を示すフローチャートである。
【図２５】実施の形態４のテレビの動作を示すフローチャートである。
【図２６】従来のＤＶＤレコーダの構成を示すブロック図である。
【図２７】従来のテレビの構成を示すブロック図である。
【図２８】ＨＤＭＩのＥＤＩＤ規格のフォーマットを示す図である。
【図２９】従来のＤＶＤレコーダと従来のテレビとを組み合わせた映像信号処理システムを示す図である。
【符号の説明】
【０１７８】
１０、３０、５０、７０  ＤＶＤレコーダ
２０、４０、６０、８０  テレビ
１００、３００  システムＬＳＩ
１０１、３０１  フロントパネルキー解読部
１０２、３０２  リモコンコード解読部
１０３、３０３  イベント管理部
１０４、３０４  システム制御部
１０５  光ディスク記録再生処理部
１０６、３０７  音声処理部
１０７、３０８  映像復調処理部
１０８、３０９  階調補正処理部
１０９、３１０  輪郭補正処理部
１１０、３１１  オンスクリーン表示処理部
１１１、３１２  映像合成処理部
１１２  ＨＤＭＩトランスミッタ処理部
２０１、４０１  地上アナログチューナー
２０２、４０２  地上デジタルチューナー
２０３、４０３  ＢＳデジタルチューナー
２０４、４０４  ＣＳデジタルチューナー
２０５  光ディスクドライブ
２０６、４０５  ＨＤＭＩコネクタ
３０５  ＨＤＭＩレシーバ処理部
３０６  映像／音声入力切換部
４０６  ディスプレイパネル
４０７  スピーカー
４０８  記憶装置
５０１、５０２、６０１、６０２  映像補正切換部
７０１、７０２  ＣＥＣ通信制御部
【図１】
2009135613.tif 000003
【図２】
2009135613.tif 000004
【図３】
2009135613.tif 000005
【図４】
2009135613.tif 000006
【図５】
2009135613.tif 000007
【図６】
2009135613.tif 000008
【図７】
2009135613.tif 000009
【図８】
2009135613.tif 000010
【図９】
2009135613.tif 000011
【図１０】
2009135613.tif 000012
【図１１】
2009135613.tif 000013
【図１２】
2009135613.tif 000014
【図１３】
2009135613.tif 000015
【図１４】
2009135613.tif 000016
【図１５】
2009135613.tif 000017
【図１６】
2009135613.tif 000018
【図１７】
2009135613.tif 000019
【図１８】
2009135613.tif 000020
【図１９】
2009135613.tif 000021
【図２０】
2009135613.tif 000022
【図２１】
2009135613.tif 000023
【図２２】
2009135613.tif 000024
【図２３】
2009135613.tif 000025
【図２４】
2009135613.tif 000026
【図２５】
2009135613.tif 000027
【図２６】
2009135613.tif 000028
【図２７】
2009135613.tif 000029
【図２８】
2009135613.tif 000030
【図２９】
2009135613.tif 000031